(57)【要約】【課題】施工面積の大小に対応し易く、施工が容易で施工期間が短く、比較的軽量で水捌けも良好な緑化技術を提供する。【解決手段】緑化構造１００は、緑化対象面であるビル壁面１０に沿って取り付けられる格子状の背面部材１１と、背面部材１１の表面に並列状に敷設された透水性周壁１２ａを有する複数の管状体１２と、管状体１２の透水性周壁１２ａに開設された開口部と、管状体１２内に充填された植生材１３と、管状体１２の開口部側の領域を覆うように取り付けられた網状の正面部材１４と、背面部材１１、管状体１２及び正面部材１４を有する緑化ユニット１０をビル壁面Ｗに取り付けるための固定手段である受けブラケット１５ａ，１５ｂ及び押え部材１６と、を備えている。【選択図】図３
2015209739.tif 000002
【特許請求の範囲】
【請求項１】
緑化対象面に沿って取り付けられる格子状の背面部材と、前記背面部材の表面に並列状に敷設された透水性周壁を有する管状体と、前記管状体の前記透水性周壁に開設された開口部と、前記管状体内に充填された植生材と、前記管状体の前記開口部側の領域を覆うように取り付けられた網状の正面部材と、前記背面部材、前記管状体及び前記正面部材を有する緑化ユニットを前記緑化対象面に取り付けるための固定手段と、を備えたことを特徴とする緑化構造。
【請求項２】
前記管状体が重力方向に移動するのを防止するための支持手段を設けた請求項１記載の緑化構造。
【請求項３】
前記管状体が、当該管状体の軸心を中心に前記透水性周壁の長手方向に沿って螺旋状に形成された突条部と、隣り合う前記突条部の間の螺旋状の溝部の長手方向に沿って開設された複数の貫通孔とを備えた請求項１または２記載の緑化構造。
【請求項４】
前記管状体内の植生材に給水するための灌水手段を設けた請求項１〜３のいずれかに記載の緑化構造。
【請求項５】
前記植性材が水苔である請求項１〜４のいずれかに記載の緑化構造。
【請求項６】
緑化対象面に沿って取り付けるための格子状の背面部材の表面に透水性周壁を有する複数の管状体を敷設する工程と、前記管状体の前記透水性周壁に開口部を開設する工程と、前記管状体内に植生材を充填する工程と、前記管状体の前記開口部側の領域を覆うように網状の正面部材を取り付ける工程と、前記正面部材に形成された植生用開口から前記植生材に植物苗を植えるまたは植物種子を播種する工程と、前記背面部材、前記管状体及び前記正面部材を有する緑化ユニットを前記緑化対象面に取り付ける工程と、を備えたことを特徴とする緑化方法。
【発明の詳細な説明】
【技術分野】
【０００１】
本発明は、建築物の外壁面あるいは土木建設物の法面や外壁面などの緑化工事に使用可能な緑化技術に関する。
【背景技術】
【０００２】
建築物の外壁面などに植物を植生させて緑化するための緑化構造については、従来、様々な方式が提案されているが、本発明に関連する従来技術として、例えば、特許文献１記載の「壁面緑化構造及び壁面緑化工法」あるいは特許文献２記載の「無土壌斜壁面の緑化方法」などがある。
【０００３】
特許文献１記載の「壁面緑化構造」は、壁面に取り付けられる内側メッシュシートと、内側メッシュシートから所定距離隔てて設けられた外側メッシュシートと、その内外のメッシュシート間に介設されると共に上下間隔を置いて配列された水平メッシュ筒と、その内外のメッシュシートと上下の水平メッシュ筒で区画された空間に充填され、植物の根部を植生させるための水苔層と、水平メッシュ筒の任意の段に、その水平メッシュ筒を挿通するように設けられ、水平メッシュ筒を通してその下方の水苔層に灌水するための灌水管と、を備えたものであり、水苔層に植生された植物の幹及び葉の部分を外側メッシュシートの網目より繁らせて壁面を緑化するように構成されている。
【０００４】
特許文献２記載の「無土壌斜壁面の緑化方法」は、育成基盤材を有しない無土壌斜壁面を緑化するための方法であって、周面に多数の通孔を有する筒状体の内部に育成基盤材を充填した育成基盤材囲繞体を、無土壌斜壁面に対して敷設固定し、これらの育成基盤材囲繞体において植物を繁らせることによって斜壁面を緑化するものである。
【先行技術文献】
【特許文献】
【０００５】
【特許文献１】特開２００４−３２４１６０号公報
【特許文献２】特開平１０−１８３６２８号公報
【発明の概要】
【発明が解決しようとする課題】
【０００６】
特許文献１記載の「壁面緑化構造及び壁面緑化工法」は、内外のメッシュシートと上下の水平メッシュ筒で区画された空間に充填された水苔層において植物の根部を植生させるものであるため、施工後、水苔層が重力方向に片寄ったり、風水などによって散逸したりする可能性がある。また、水平メッシュ筒の部分には植物が植生されないので、施工後、壁面全体が植物で覆われた状態となるまでには長期間を要することがある。
【０００７】
また、特許文献１記載の「無土壌斜壁面の緑化方法」は、切土や盛土法面などのように傾斜した壁面の緑化には好適な技術であるが、建築物の壁面などのように鉛直状態にある壁面に施工することは極めて困難である。
【０００８】
そこで、本発明が解決しようとする課題は、施工面積の大小に対応し易く、施工が容易で施工期間が短く、比較的軽量で水捌けも良好な緑化技術を提供することにある。
【課題を解決するための手段】
【０００９】
本発明の緑化構造は、緑化対象面に沿って取り付けられる格子状の背面部材と、前記背面部材の表面に並列状に敷設された透水性周壁を有する管状体と、前記管状体の前記透水性周壁に開設された開口部と、前記管状体内に充填された植生材と、前記管状体の前記開口部側の領域を覆うように取り付けられた網状の正面部材と、前記背面部材、前記管状体及び前記正面部材を有する緑化ユニットを前記緑化対象面に取り付けるための固定手段と、を備えたことを特徴とする。
【００１０】
このような構成とすれば、緑化対象面を覆うのに必要な面積の背面部材に対し、これに合わせた長さに切断した管状体を必要な本数だけ敷設し、これらに合わせたサイズの正面部材で管状体の開口部側を覆えば緑化ユニットを形成することができるので、施工面積の大小に容易に対応することができる。
【００１１】
また、工場などで予め緑化ユニットを製作して、施工現場に搬入して工事を行うことができるため、施工が容易であり、施工期間を短縮することができる。さらに、当該緑化構造は、格子状の背面部材、透水性周壁を有する管状体及び網状の正面部材などで形成された簡素な構造であるため、比較的軽量であり、水捌けも良好である。
【００１２】
ここで、前記管状体が重力方向に移動するのを防止するための支持手段を設けることが望ましい。
【００１３】
また、前記管状体は、当該管状体の軸心を中心に前記透水性周壁の長手方向に沿って螺旋状に形成された突条部と、隣り合う前記突条部の間の螺旋状の溝部の長手方向に沿って開設された複数の貫通孔とを備えたものであることが望ましい。
【００１４】
さらに、前記管状体内の植生材に給水するための灌水手段を設けることが望ましい。
【００１５】
一方、前記植性材は水苔を使用することが望ましい。
【００１６】
次に、本発明の緑化方法は、緑化対象面に沿って取り付けるための格子状の背面部材の表面に透水性周壁を有する複数の管状体を敷設する工程と、前記管状体の前記透水性周壁に開口部を開設する工程と、前記管状体内に植生材を充填する工程と、前記管状体の前記開口部側の領域を覆うように網状の正面部材を取り付ける工程と、前記正面部材に形成された植生用開口から前記植生材に植物苗を植えるまたは植物種子を播種する工程と、前記工程によって形成された前記背面部材、前記管状体及び前記正面部材を有する緑化ユニットを前記緑化対象面に固定する工程と、を備えたことを特徴とする。
【発明の効果】
【００１７】
本発明により、施工面積の大小に対応し易く、施工が容易で施工期間が短く、比較的軽量で水捌けも良好な緑化技術を提供することができる。
【図面の簡単な説明】
【００１８】
【図１】本発明の実施の形態である緑化構造を示す正面図である。
【図２】図１に示す緑化構造の施工直後の状態を示す一部省略正面図である。
【図３】図２中のＡ−Ａ線における一部省略断面図である。
【図４】本発明の実施の形態である緑化方法を示す工程図である。
【図５】図４に示す工程の後工程を示す工程図である。
【図６】本発明の実施の形態で使用する管状体を示す一部省略側面図である。
【図７】図６に示す管状体の一部切欠拡大図である。
【図８】図７に示す管状体の端面図である。
【発明を実施するための形態】
【００１９】
以下、図面に基づいて本発明の実施形態について説明する。図１〜図３に示すように、本発明の実施形態である緑化構造１００は、緑化対象面であるビル壁面Ｗに沿って取り付けられる格子状の背面部材１１と、背面部材１１の表面に並列状に敷設された透水性周壁１２ａを有する複数の管状体１２と、管状体１２の透水性周壁１２ａに開設された開口部１２ｂ（図５（ｃ）参照）と、管状体１２内に充填された植生材１３と、管状体１２の開口部１２ｂ側の領域を覆うように取り付けられた網状の正面部材１４と、背面部材１１、管状体１２及び正面部材１４を有する緑化ユニット１０をビル壁面Ｗに取り付けるための固定手段である受けブラケット１５ａ，１５ｂ及び押え部材１６と、を備えている。図１に示すように、緑化構造１００においては、複数種類の植物が複数の植物群Ｐ１，Ｐ２，Ｐ３，Ｐ４をなすように育成されているが、これに限定するものではない。
【００２０】
受けブラケット１５ａ，１５ｂの基端部側は、ビル壁面Ｗに沿って固定された受け補強プレート１７に固着されている。受けブラケット１５ｂは、緑化ユニット１０を構成する管状体１２が重力方向に移動するのを防止するための支持手段としての機能も有する。また、最上部に位置する緑化ユニット１０の上方に位置する受けブラケット１５ａの上方、及び、緑化ユニット１０の下方に位置する受けブラケット１５ｂの下方には、管状体１２内の植生材１３に給水するための灌水手段である灌水パイプ１８が配管されている。本実施形態では植生材１３は水苔を使用しているが、これに限定するものではない。
【００２１】
また、図３に示すように、受けブラケット１５ａの上方のビル壁面Ｗに、アルミルーバー４０を取り付けたり、緑化構造１００において植生する植物に光を当てるための照明器具５０を取付けたりすることもできる。
【００２２】
ここで、図６〜図８に基づいて、緑化構造１００の構成部材の一つである管状体１２の原材料となる管状体１２Ｘについて説明する。図に示すように、管状体１２Ｘは、当該管状体１２Ｘの軸心１２ｃを中心に透水性周壁１２ａの長手方向に沿って螺旋状に形成された突条部１２ｄと、隣り合う突条部１２ｄの間の螺旋状の溝部１２ｅの底面の長手方向に沿って開設された複数の貫通孔１２ｆとを備えている。管状体１２Ｘ（１２）においては、図８に示すように、突条部１２ｄの両側壁にも、その長手方向に沿って複数の貫通孔１２ｇが並列状に開設されている。なお、本実施形態では、管状体１２Ｘ（１２）として、東拓工業株式會社の「（商品名）ＴＡＣアミーゴ」を使用しているが、これに限定するものではない。
【００２３】
次に、図４，図５に基づいて、本発明の実施形態である緑化方法について説明する。図４（ａ）に示すように、緑化対象面であるビル壁面Ｗ（図３参照）の面積に合わせて原材料である透水性周壁１２ａを有する管状体１２Ｘを所定の長さに切断し、図４（ｂ）に示すように必要な本数の管状体１２を作成する。この後、図４（ｃ）に示すように、管状体１２の両端にエンドキャップ１２ｈを取り付けて開口端を閉塞する。
【００２４】
次に、図５（ａ），（ｂ）に示すように、格子状の背面部材１１の表面に複数の管状体１２を並列状に敷設し、各管状体１２を１本ずつ背面部材１１に固定する。本実施形態では、背面部材１１としてステンレスメッシュを使用し、管状体１２を背面部材１１に固定する手段として合成樹脂製結束バンド（例えば、商品名：ロックタイなど）を使用している。具体的には、複数の管状体１２をそれぞれ１本ずつ合成樹脂製結束バンドを用いて背面部材１１（ステンレスメッシュ）の縦横の格子に結び付けるようにして固定しているが、これらに限定するものではない。
【００２５】
次に、図５（ｃ）に示すように、管状体１２の透水性周壁１２ａに開口部１２ｂを開設し、管状体１２内に植生材１３を充填する。開口部１２ｂの位置、サイズ、個数などは施工条件に応じて設定することができる。この後、図５（ｄ）に示すように、管状体１２の開口部１２ｂ側の領域を覆うように網状の正面部材１４を取り付けると、緑化ユニット１０が完成する。本実施形態では、正面部材１４として正面部材１４を取り付ける手段として合成樹脂製ネット（例えば、商品名：トリカルネットなど）を使用しているが、これに限定するものではない。
【００２６】
次に、図示していないが、正面部材１２の所定部分を切断して形成した植生用の開口部１２ｂから植生材１３に植物苗（図示せず）を植えた後、図３に示すように、緑化ユニット１０を、緑化対象面であるビル壁面Ｗに取り付けると、図２に示す緑化構造１００が完成する。この後、期間が経過すると植物が繁茂して、図１に示すように、緑化ユニット１０や押え部材１６（図２参照）が見えないような緑化状態となる。なお、前述した、開口部１２ｂから植生材１３に植物苗（図示せず）を植える代わりに、植生材１３に植物種子（図示せず）を播種して発芽させ、植物を育成して緑化を図ることもできる。
【００２７】
前述したように、図１に示すように、緑化構造１００においては、複数種類の植物を、複数の群Ｐ１，Ｐ２，Ｐ３，Ｐ４をなすように育成することができるため、ビル壁面Ｗの材質、色調や周囲の雰囲気に合わせて、植物の種類を設定することにより、優れた外観性を発揮する。
【００２８】
本実施形態の緑化構造１００においては、緑化対象面（ビル壁面Ｗ）を覆うのに必要な面積の背面部材１１に対し、これに合わせた長さに切断した管状体１２を必要な本数だけ敷設し、これらに合わせたサイズの正面部材１４で管状体１２の開口部１２ｂ側を覆うなどすれば緑化ユニット１０を形成することができるので、施工面積の大小に容易に対応することができる。
【００２９】
また、工場などで予め緑化ユニット１０を製作して、施工現場に搬入して工事を行うことができるため、施工が容易であり、施工期間を短縮することができる。さらに、当該緑化構造１００は、格子状の背面部材１１、透水性周壁を有する管状体１２及び網状の正面部材１９などで形成された簡素な構造であるため、比較的軽量であり、水捌けも良好である。また、本実施形態の緑化構造１００においては、緑化対象面であるビル壁面Ｗは鉛直方向の平面であるが、これに限定するものではなく、傾斜面であっても実施可能である。
【００３０】
なお、図１〜図８に基づいて説明した緑化構造１００及び緑化方法は本発明を例示するものであり、本発明の緑化構造及び緑化方法は前述した実施形態に限定されない。
【産業上の利用可能性】
【００３１】
本発明の緑化技術は、建築物の外壁面あるいは土木建設物の法面や外壁面などを緑化する技術として、土木建設業などの産業分野において広く利用することができる。
【符号の説明】
【００３２】
１０  緑化ユニット
１１  背面部材
１２，１２Ｘ  管状体
１２ａ  透水性周壁
１２ｂ  開口部
１２ｃ  軸心
１２ｄ  突条部
１２ｅ  溝部
１２ｆ，１２ｇ  貫通孔
１２ｈ  エンドキャップ
１３  植生材
１４  正面部材
１５ａ，１５ｂ  受けブラケット
１６  押え部材
１７  受け補強プレート
１８  灌水パイプ
４０  アルミルーバー
５０  照明器具
１００  緑化構造
Ｐ１，Ｐ２，Ｐ３，Ｐ４  植物群
Ｗ  ビル壁面
【図１】
2015209739.tif 000003
【図２】
2015209739.tif 000004
【図３】
2015209739.tif 000005
【図４】
2015209739.tif 000006
【図５】
2015209739.tif 000007
【図６】
2015209739.tif 000008
【図７】
2015209739.tif 000009
【図８】
2015209739.tif 000010